(57)【要約】【課題】有効に記録容量を活用して情報の記録再生する記録再生方法を提供する。【解決手段】映像信号および／または音響信号からなる番組をデジタル信号としてファイルを単位として、ＨＤＤ、ＤＶＤ／ＢＤに記録再生する記録再生方法において、記録の動作においては、デジタル信号を圧縮することなく非圧縮データとして記録するとともに、デジタル信号を圧縮して圧縮データとして記録し、非圧縮データまたは圧縮データのいずれか一方をダミーデータとして設定してダミーデータとされない他方のデータを主データとして設定し、記録再生装置の空き容量が不足する場合には、ダミーデータが占める領域に順次記録をすることとした。【選択図】図１
2009163823.tif 000002
【特許請求の範囲】
【請求項１】
映像信号および／または音響信号からなる番組をデジタル信号としてファイルを単位として記録再生装置に記録再生する記録再生方法において、
記録の動作においては、
前記デジタル信号を圧縮することなく非圧縮データを得るとともに、前記デジタル信号を圧縮して圧縮データを得て、
前記非圧縮データまたは前記圧縮データのいずれか一方をダミーデータが記録されるダミーファイルとして生成し、前記ダミーデータとされない他方のデータを主データが記録される主ファイルとして生成して、前記記録再生装置に各々記録し、
前記記録再生装置の空き容量が不足する場合には、前記ダミーファイルが占める領域に順次記録をする、記録再生方法。
【請求項２】
前記ダミーデータが圧縮データであることを特徴とする請求項１に記載の記録再生方法。
【請求項３】
前記ダミーデータが非圧縮データであることを特徴とする請求項１に記載の記録再生方法。
【請求項４】
前記ダミーファイルが占める領域に順次記録をするに際して、再生済みのダミーファイルが占める領域に優先して記録することを特徴とする請求項１に記載の記録再生方法。
【請求項５】
前記ダミーファイルが占める領域に順次記録をするに際して、再生の動作をおこなった後に当該再生に係るダミーファイルを削除して空きスペースとして、無条件に記録可能とすることを特徴とする請求項１に記載の記録再生方法。
【請求項６】
前記ファイルの一部またはすべてについて、前記ダミーファイルと前記主ファイルとのデータの内容を相互に変換することを特徴とする請求項１に記載の記録再生方法。
【発明の詳細な説明】
【技術分野】
【０００１】
本発明は、映像および音声を含むデジタルデータを記録、再生する記録再生方法に関する。
【背景技術】
【０００２】
近年、デジタル放送は段々と普及している。また、デジタル放送の中でも高画質な映像を送出する、いわゆる、ハイビジョン放送に対して大きな期待が寄せられている。しかしながら、ハイビジョン放送はそのデータ容量が大きく、単に、録画（記録）を続ける場合においては、それを記録する記録装置の記録容量としては莫大な容量が必要である。
【０００３】
また、上述した課題とは別の課題であるデータセキュリティの問題として、記録装置に記録されたデータの消失を防止するために、同一のデータを複数の記憶領域または複数の記録媒体に記録するミラーリングについての提案がなされており、例えば、録画される情報の重要度を算出して、重要度の高いものについては、録画データを圧縮して圧縮データを作成し、その圧縮データを記録することによって、ハードディスクの残容量を有効に活用する技術が提案されている（特許文献１を参照下さい）。
【特許文献１】特開２００６−２３６５３８号公報
【発明の開示】
【発明が解決しようとする課題】
【０００４】
しかしながら、録画される情報の重要度は、記録前には判定が困難な場合が多く、当初は重要であったが、時間の経過に従い重要度が薄れる場合があり、反対に、重要性がないと思っていたが事後的に重要度が増す場合もあり得る。この点を鑑みると、一旦、記録したデータの削除は慎重にしなければならない。そのためには大きな記録容量を有する記録再生装置を用いる必要性が生じてしまい、この場合には、装置の価格は高いものとなってしまう。一方、記録した情報を、順次、削除してしまえば、記録容量については、妥協できるとしても、今度は、利用したい場合に該当する情報が既に削除されていて、その使用ができないという問題の頻出が懸念される。
【０００５】
そこで、本発明は係る課題を解決すべく、記録再生装置における記録容量の大きさを無際限に大きくすることなく、有効に記録容量を活用して情報の記録再生する記録再生方法を提供するものである。
【課題を解決するための手段】
【０００６】
本発明の記録再生方法は、映像信号および／または音響信号からなる番組をデジタル信号としてファイルを単位として記録再生装置に記録再生する記録再生方法において、記録の動作においては、前記デジタル信号を圧縮することなく非圧縮データを得るとともに、前記デジタル信号を圧縮して圧縮データを得て、前記非圧縮データまたは前記圧縮データのいずれか一方をダミーデータが記録されるダミーファイルとして生成し、前記ダミーデータとされない他方のデータを主データが記録される主ファイルとして生成して、前記記録再生装置に各々記録し、前記記録再生装置の空き容量が不足する場合には、前記ダミーファイルが占める領域に順次記録をするものである。
【発明の効果】
【０００７】
本発明によれば、記録再生装置の空き容量が不足する場合には、ダミーデータが占める領域に順次記録をすることによって、有限なる記録容量を効果的に利用することができる。
【発明を実施するための最良の形態】
【０００８】
実施形態の記録方法、再生方法は、放送を受信してデジタルデータを記録および再生する記録再生装置において適用される記録再生方法である。実施形態の記録再生方法は、受信されたデータを圧縮することがない非圧縮データと、受信されたデータを圧縮して得られる圧縮データとを、一旦同時に記録装置に記録して、その後にこれらの非圧縮データ、または／および、圧縮データを再生するものである。この圧縮データと非圧縮データとの両方のデータをどのように取り扱うかについては、種々の態様を考えることができる。
【０００９】
例えば、同一の番組に対する圧縮データまたは非圧縮データのいずれか一方をダミーとして取り扱うことによって、記録装置の実質的な空き容量（記録可能な容量）にダミーを含め、記録装置の空き容量が十分ではない場合には、このダミーを随時削除することによって現実の空き容量の確保ができるものである。また、ユーザ（記録再生装置の使用者）は、適宜にダミーを非圧縮データとするか圧縮データとするかを選択できるようにして、ダミーを非圧縮データとする場合には、非圧縮データを削除することによって大きな空き容量を確保することができる。また、ダミーを圧縮データとする場合には、ダミーを削除しても元のデータを完全に再現することができる。ここで、圧縮データは記録時において生成されているので、例えば、非圧縮データを削除して圧縮データを残したい場合においても、単にファイルの削除のみをおこなえば良く、急を要する空き容量の確保に際しても、極めて簡単に対応することができる。
【００１０】
図１に実施形態の記録再生方法の概念図を示し、実施形態の記録再生方法の要部の概略についてより具体的に説明をする。図１（Ａ）は、例えば放送を受信した後の処理過程を示すものである。実施形態では、放送の受信後に非圧縮データを得ると同時に圧縮データも同時に得るようにしている。Ｎｏ．１（非圧縮）は１番目に受信した放送の非圧縮データ、Ｎｏ．１（圧縮）は１番目に受信した放送の圧縮データ、Ｎｏ．２（非圧縮）は２番目に受信した放送の非圧縮データ、Ｎｏ．２（圧縮）は２番目に受信した放送の圧縮データ、Ｎｏ．３（非圧縮）は３番目に受信した放送の非圧縮データ、Ｎｏ．３（圧縮）は３番目に受信した放送の圧縮データ、を各々示すものである。
【００１１】
図１（Ｂ）は記録再生装置の記録メディア（記録媒体）の全容量に記録されるデータの配置を模式的に示す図である。非圧縮データと圧縮データとのすべて、すなわち、Ｎｏ．１（非圧縮）、Ｎｏ．１（圧縮）、Ｎｏ．２（非圧縮）、Ｎｏ．２（圧縮）、Ｎｏ．３（非圧縮）、Ｎｏ．３（圧縮）の各々を、一旦、記録媒体に記録する点が実施形態の特徴である。この場合に、例えば圧縮データをダミーとすることによって、ダミーについては、実質的に空き容量として扱うことができる。ここで、実質的に空き容量として扱うとは、実際には情報が記録されている容量であるが、ある時点で不要と判断した場合には捨てて記録媒体の記録容量を増やすことができる容量をそのように称するものである。すなわち、非圧縮データと圧縮データとの両方を一旦は利用可能な状態として格納して、その後の状況次第では、ダミーを削除して空きスペースとすることができるような手当が予め施されている。なお、非圧縮データをダミーするか、圧縮データをダミーするかは、ユーザの選択できる事項である。これらの詳細については後述する。
【００１２】
図１（Ｃ）は、ある段階における記録媒体におけるデータの配置を示す概念図である。図１（Ａ）に示す最初の記録状態は、その後の記録再生の過程を経て、図１（Ｃ）に示すようにして、Ｎｏ．１（圧縮）、Ｎｏ．２（非圧縮）、Ｎｏ．３（圧縮）が残されている。すなわち、Ｎｏ．１（非圧縮）、Ｎｏ．２（圧縮）、Ｎｏ．３（非圧縮）の各々データは削除されており、このようにして、最終的には必要なデータが記録媒体に残され、記録領域は空きスペースを有するようになされている。
【００１３】
以下において、具体的な実施態様について図面を参照してより詳細に説明する。説明の順番は、記録再生装置の概要、データの記録方法、データの再生方法、データの削除方法の順でおこなう。
【００１４】
（実施形態のデータの記録再生装置の概要）
図２を参照して実施形態のデジタルデータの記録再生装置の概要について簡単に説明をする。実施形態のデジタルデータの記録再生装置１は、映像および音声を含むデジタルデータを記録、再生するものである。記録再生装置１は、システム・エル・エス・アイ（システムＬＳＩ）１０、メイン・シー・ピー・ユー（メインＣＰＵ）２０、入力端末機器、記憶装置、外部機器とのインターフェイス、出力端末装置を備えている。
【００１５】
システムの主要部は、システム・エル・エス・アイ１０として形成され、システム・エル・エス・アイ１０は、アタピー・インターフェイス（ＡＴＡＰＩインターフェイス）１２、エムペグ・エンコーダ／デコーダ（ＭＰＥＧエンコーダ／デコーダ）１３、コントローラ１４を具備している。
【００１６】
入力端末機器としては、チューナ（Ｔｕｎｅｒ）２６、ビデオ・アナログ／デジタル変換器（ＶｉｄｅｏＡＤ）２７の各々が直接にシステム・エル・エス・アイ１０に接続されている。チューナ（Ｔｕｎｅｒ）２６はアンテナ３５を有している。記憶装置としては、半導体記憶素子であるシンクロナス・ディ・ラム（Ｓｙｎｃｈｒｏｎｏｕｓ  ＤＲＡＭ：ＳＤＲＡＭ）２８、フラッシュ・メモリ（ＦＬＡＳＨ）２９の各々が直接にシステム・エル・エス・アイ１０に接続され、外部記憶装置であるハード・ディスク・ドライブ（ＨＤＤ）２３、ディ・ブィ・ディ／ビィ・ディ・ドライブ（ＤＶＤ／ＢＤ）２４がアタピー・インターフェイス１２に接続されている。なお、ＤＶＤは、Ｄｉｇｉｔａｌ  Ｖｅｒｓｉｔｉｌｅ  Ｄｉｓｃ、ＢＤは、Ｂｌｕ−ｒａｙ  Ｄｉｓｃ（登録商標）を各々表すものであり、ディ・ブィ・ディ／ビィ・ディ・ドライブ２４は、これらの記録媒体の記録再生をおこなう装置である。
【００１７】
外部機器とのインターフェイスとしては、アイ・イー・イー・イー１３９４・インターフェイス（ＩＥＥＥ１３９４）２２、ラン・インターフェイス（ＬＡＮ）３７が用いられている。出力端末装置としては、オーディオ・デジタル／アナログ変換器（ＡｕｄｉｏＤＡ）３０、アイ・ピー・コンバータ（Ｉ／Ｐコンバータ）３１が接続されている。オーディオ・デジタル／アナログ変換器３０はデジタルの音響信号をアナログの音響信号に変換し、アイ・ピー・コンバータ３１は、インターレス信号をプログレッシブ信号に変換し、それに続く、アイ・ピー・コンバータ３１に接続されているビデオエンコーダ３２において、アイ・ピー・コンバータ３１からの映像信号を所定のフォーマットに変換して、変換されたビデオ信号（ビデオ出力）を出力する。また、メイン・シー・ピー・ユー２０には表示／表示ドライバ２１が接続され、表示／表示ドライバ２１を介してユーザに必要な情報の表示がなされ、表示／表示ドライバ２１を介してユーザが記録再生装置１に情報を与えるようになされる、マン・マシーン・インターフェイスである。
【００１８】
チューナ２６は、ＢＳ放送チューナ、ＣＳ放送チューナ、または、地上デジタル放送チューナであり、ＢＳ放送チューナの場合には転送レートが２４Ｍｂｐｓ、地上デジタル放送チューナの場合には転送レートが１７Ｍｂｐｓのデジタル信号がＴＳ信号としてシステム・エル・エス・アイ１０に取り込まれる。ここで、ＴＳ信号は映像信号、音声信号を含む信号である。また、チューナ２６からの映像信号とは別に、ビデオ・アナログ／デジタル変換器２７を介して、例えば、ビデオカメラからの映像信号をシステム・エル・エス・アイ１０に取り込むことができる。
【００１９】
ハード・ディスク・ドライブ２３、ディ・ブィ・ディ／ビィ・ディ・ドライブ２４には、ＴＳ信号を圧縮加工することなく非圧縮データを記録するＴＳ録画（非圧縮記録）をおこなうこともでき、ＴＳ信号をより低レートの信号に圧縮して圧縮データを記録することもできる。圧縮の動作は、エムペグ・エンコーダ／デコーダ１３においておこなわれ、圧縮の制御の手順は、フラッシュ・メモリ２９に格納されている。コントローラ１４はこの制御の手順に従って、シンクロナス・ディ・ラム２８にＴＳ信号、エムペグ２信号（ＭＰＥＧ２信号）またはエムペグ４信号（ＭＰＥＧ４信号）を展開してＴＳ信号の圧縮をおこなう。圧縮は、例えば、４．７Ｍｂｐｓのビットレートで圧縮される。そして、圧縮されたデータはハード・ディスク・ドライブ２３、ディ・ブィ・ディ／ビィ・ディ・ドライブ２４に記録される。このような圧縮されたデータを記録することを圧縮記録と称する。
【００２０】
また、ハード・ディスク・ドライブ２３、ディ・ブィ・ディ／ビィ・ディ・ドライブ２４に記録されたエムペグ２信号、または、エムペグ４信号から再び、映像信号を得る処理（伸張処理）も同様にエムペグ・エンコーダ／デコーダ１３においておこなわれ、伸張の制御の手順は、フラッシュ・メモリ２９に格納され、伸張処理はシンクロナス・ディ・ラム２８に処理データを展開しておこなわれ、再生される。
【００２１】
非圧縮データの記録、圧縮データの記録、これらのデータの再生、これらのデータの削除の制御は、コントローラ１４によっておこなわれる。この制御をどのようにしておこなうかの詳細は後述する。
【００２２】
ハード・ディスク・ドライブ２３、ディ・ブィ・ディ／ビィ・ディ・ドライブ２４から再生されたデータは、圧縮記録されている場合には上述するように伸張され、非圧縮記録の場合には、そのまま、処理されて、音声信号はオーディオ・デジタル／アナログ変換器３０を介してアナログ信号としてユーザの利用に供され、映像信号は、アイ・ピー・コンバータ３１、ビデオエンコーダ３２を介してユーザの利用に供される。ここで、メイン・シー・ピー・ユー２０は、記録再生装置１の上述した記録再生の全体の処理を管理し、表示／表示ドライバ２１を介して入力されるユーザからの指示に沿った処理をおこなう。
【００２３】
（実施形態のデータの記録方法）
図３に示す記録処理のフローチャートに沿って、実施形態の録画時のフロー、すなわち、記録方法について説明をする。なお、記録処理のルーチンへの移行は、ユーザが表示／表示ドライバ２１を介して移行することを指示しても良く、タイマー等に基づきコントローラ１４が自ら作り出すタイミングで移行の制御をするものであっても良い。同様に記録処理のルーチンからの脱出も同様にユーザの指示、タイマー等に基づきコントローラ１４が制御をするものであっても良い。図３に示すフローチャートで示す処理は主として、コントローラ１４、メイン・シー・ピー・ユー２０が中心となっておこなう処理が記載されているが、ユーザがおこなう処理、周辺のハードウエア（例えば、ハード・ディスク・ドライブ２３、ディ・ブィ・ディ／ビィ・ディ・ドライブ２４）でおこなわれる処理もあるので、実施形態を実施するに必要な範囲で、どの様にして処理がおこなわれるかについて具体的に説明をする。なお、コントローラ１４でおこなわれる処理手順は、フラッシュ・メモリ２９に記憶されている。また、コントローラ１４に対して指示を出すなどして、これと協調して働くメイン・シー・ピー・ユー２０の処理手順はメイン・シー・ピー・ユー２０の内部の不揮発メモリに記憶されている。
【００２４】
ステップＳＴ１００では、圧縮レートの初期設定をおこなう。
例えば、ＳＰ（ショート・プレイ）、ＬＰ（ロング・プレイ）の録画モードの設定をおこなう。ＳＰでは、ＬＰに較べて、圧縮率が低く、つまり、転送レートが高く、設定される。具体的には、圧縮レートの初期設定は、ユーザが表示／表示ドライバ２１を介して圧縮レートの初期設定をおこなうことができるとともに、記録再生装置１のフラッシュ・メモリ２９に記憶されているデフォルト状態を圧縮レートの初期値とする設定もできる。
【００２５】
次に、ステップＳＴ１０１では、ダミー初期設定をおこなう。ダミー初期設定とは、圧縮データと非圧縮データのいずれをダミー（ダミーデータ）とするかの設定を言うものである。
具体的には、圧縮データ（ＬＰ録画モードで記録するデータまたはＳＰ録画モードで記録するデータ）と非圧縮データ（ＴＳモードで記録するデータ）とを同時に録画することを本実施形態では特徴とするが、圧縮データまたは非圧縮データのいずれをダミーとするかを設定するものである。なお、記録される映像信号および／または音響信号は、番組毎に一群のデータの集合であるファイル単位で管理されるので、ダミーデータが記録されるファイルはダミーファイルであることを示す情報を付加して管理されることとなる。
【００２６】
次に、ステップＳＴ１０２では、放送を受信する。
具体的には、所定のチャンネルを選局して放送の受信を開始するので、ユーザはその放送の内容を予め予想することができる状態となる。
なお、ステップＳＴ１０２では、チューナ２６から得られた放送を受信する以外に、ビデオ・アナログ／デジタル変換器２７を介して得られた映像情報、音声情報を受信するものとしても良い。
【００２７】
次に、ステップＳＴ１０３では、記録再生装置１は表示／表示ドライバ２１を介してユーザに対して、ダミーの切替をするか否かの質問を発するとともに、デフォルト状態を表示するので、ユーザは、ダミーの切替（非圧縮データをダミーとする状態から圧縮データをダミーとする状態に変更すること、または、圧縮データをダミーとする状態から非圧縮データをダミーとする状態に変更することを称する）をおこなうか否かの判断をして、表示／表示ドライバ２１を介して記録再生装置１にその判断結果の入力をする。
その判断結果を受けたコントローラ１４は、判断結果がＹＥＳ（切替をする）である場合には処理はステップＳＴ１０４に移し、判断結果がＮＯ（切替をしない）である場合には処理をステップＳＴ１０５に移す。
【００２８】
次に、ステップＳＴ１０４では、ダミーの切替、すなわち、非圧縮データをダミーとする状態から圧縮データをダミーとする状態に変更すること、または、圧縮データをダミーとする状態から非圧縮データをダミーとする状態に変更することをおこなう。
具体的には、ハード・ディスク・ドライブ２３、ディ・ブィ・ディ／ビィ・ディ・ドライブ２４に記録される非圧縮データ、圧縮データの各々は、各々一つのファイルとして管理されるので、このファイル毎に付加される識別情報の一部にそのファイルがダミーであるか否かを書き込むこととする。ステップＳＴ１０４での処理が終了すると処理がステップＳＴ１０５に移るようにコントローラによって制御される。なお、ダミーデータが記録されているファイルをダミーファイル、ダミーでない側のファイルを主（主ファイル）、主ファイルに記録されるデータを主データと称する。
【００２９】
次に、ステップＳＴ１０５では、圧縮データ（ＳＰモードのデータ、または、ＬＰモードのデータ）と非圧縮データ（ＴＳモードのデータ）とを同時に録画をする圧縮、非圧縮（ＴＳ）同時録画の動作を開始する。
具体的には、非圧縮データであるＴＳ信号をハード・ディスク・ドライブ２３、または／および、ディ・ブィ・ディ／ビィ・ディ・ドライブ２４に記録（録画）しながら、ＴＳ信号をエムペグ・エンコーダ／デコーダ１３において圧縮して、順次、この圧縮データをハード・ディスク・ドライブ２３、または／および、ディ・ブィ・ディ／ビィ・ディ・ドライブ２４に記録（録画）する。
ここで、非圧縮データおよび圧縮データをハード・ディスク・ドライブ２３とディ・ブィ・ディ／ビィ・ディ・ドライブ２４とにどの様に割り振るかは任意事項であり、例えば、非圧縮データをディ・ブィ・ディ／ビィ・ディ・ドライブ２４に割り振り、圧縮データをハード・ディスク・ドライブ２３に割り振るようにしても良く、非圧縮データであるか圧縮データであるかに関係なく、ハード・ディスク・ドライブ２３とディ・ブィ・ディ／ビィ・ディ・ドライブ２４とのいずれの一方に録画するようにしても良く、適宜に両者に割り振るものであっても良いものである。要は、ファイルに付加される情報によって、そのファイルに記録されるデータが圧縮データであるか、非圧縮データであるかを記録の事後において判別できるようにすれば十分である。
【００３０】
次に、ステップＳＴ１０６では、ハード・ディスク・ドライブ２３、ディ・ブィ・ディ／ビィ・ディ・ドライブ２４の記録が可能なスペース（残量）が、所定量あるか否か、すなわち所定残量を満たすか否かを判断する。
具体的には、コントローラ１４は、適宜（所定の時間毎、あるいは、記録時において設定した記録領域への記録が完了した後等）、ハード・ディスク・ドライブ２３、ディ・ブィ・ディ／ビィ・ディ・ドライブ２４の記録状態の診断をおこない、これから記録するべき容量が分かっている場合には、それを記録するに十分な空き容量（所定残量）があるか、これから記録すべき容量が不明の場合には、予め設定する所定の空き容量（所定残量）があるか否かを判断する。ＹＥＳ（所定残量を満たすと判断する場合）には、コントローラ１４は、非圧縮データと圧縮データとの両方をハード・ディスク・ドライブ２３、ディ・ブィ・ディ／ビィ・ディ・ドライブ２４の空き領域に記録し続けるように制御する。一方、ＮＯ（所定残量を満さないと判断する場合）には、コントローラ１４は、処理をステップＳＴ１０７に移す。
【００３１】
ステップＳＴ１０７では、ハード・ディスク・ドライブ２３、ディ・ブィ・ディ／ビィ・ディ・ドライブ２４の空きスペース（現在の録画に寄与する領域）を増加させるためにダミーファイル（ダミーデータが記録されているファイル）の一部を削除する。ここで、「削除する」の用語の意味には、記録すべき新たな情報を上書き（オーバーライト）して削除することと、上書きすることなく、削除の動作をして空きスペースを作り出す削除との両方を含むものであり、空きスペースを作り出す場合の削除では、削除されたダミーデータが記録されていた領域は、その後は、如何なる判断もすることなく記録ができる無条件な記録可能な領域となる。
ここで、ダミーファイルの一部削除とは、少なくとも、現在の録画に必要なデータの容量に達するまで、ファイル単位で該当するファイルのデータのすべてを削除するという意味である。また、どのダミーファイルを削除するかについては、再生済みの番組のダミーファイルを優先して削除する他、適宜（例えば、記録した日時が古いダミーファイルを優先して削除する、ハード・ディスク・ドライブ２３に記録されているダミーデータを優先して削除した後、ディ・ブィ・ディ／ビィ・ディ・ドライブ２４に記録されているダミーデータを削除する等）、選択することが可能である。また、コントローラ１４が自動的にこのような削除をするようにしても良く、表示／表示ドライバ２１を介してユーザからの承認を得た後に削除をするようにしても良い。なお、現在の記録に係るダミーファイルは削除しない。
ステップＳＴ１０７での処理の終了後に処理は再び、ステップＳＴ１０６に戻り、スペースが十分であることを確認後にコントローラ１４は、非圧縮データと圧縮データとの両方をハード・ディスク・ドライブ２３、ディ・ブィ・ディ／ビィ・ディ・ドライブ２４の空き領域に記録し続けるように制御する。仮に、ステップＳＴ１０７で未だ十分なスペースが確保されていないと判断されて場合には、処理は、ステップＳＴ１０７に再び移る。
【００３２】
次に、ステップＳＴ１０８では、所定領域に所定の内容の録画が完了したことを確認する。そして処理は再び、ステップＳＴ１００から開始する次のシーケンスの動作に移行する。
【００３３】
（実施形態のデータの再生方法）
図４に示す再生処理のフローチャートに沿って、実施形態の再生時のフロー、すなわち、再生方法について説明をする。
【００３４】
ステップＳＴ２００では、再生する番組（例えば、チューナ２６から得られた映像情報、音声情報、ビデオ・アナログ／デジタル変換器２７を介して得られた映像情報、音声情報）の選択をおこなう。この場合に、番組を選択するのみならず、再生するデータが主（主データ）であるかダミー（ダミーデータ）であるかも同時に選択する。
具体的には、ユーザが表示／表示ドライバ２１を介して入力した番組名に対応するファイルをコントローラ１４が検索する。この場合において、ファイルの付加情報によって、主データが記録された主ファイルか、ダミーデータが記録されたダミーファイルか、についても選択される。
【００３５】
次に、ステップＳＴ２０１では、選択された主ファイルからデータを再生する。
ここで、主ファイルが圧縮データである場合には、エムペグ・エンコーダ／デコーダ１３において伸張して、オーディオ・デジタル／アナログ変換器３０を介してオーディオ信号が出力され、アイ・ピー・コンバータ３１およびビデオエンコーダ３２を介してビデオ信号（ビデオ出力）が出力される。また、主ファイルが非圧縮データである場合には、オーディオ・デジタル／アナログ変換器３０を介してオーディオ信号が出力され、アイ・ピー・コンバータ３１およびビデオエンコーダ３２を介してビデオ信号（ビデオ出力）が出力される。
なお、上述した手順において、例えば、今回の再生の処理において主データとして選択されたデータではあるが、それ以前の処理において、一旦ダミーデータとして選択され、その後の処理（ステップＳＴ２０５の処理）により削除された後は、主データとして再び選択されたとしても、削除されたデータが非圧縮データである場合には、非圧縮データはもはや再生ができないこととなる。
【００３６】
次に、ステップＳＴ２０２では、再生が終了したことを確認して、終了するのに必要な処理をおこなう。そして、ステップＳＴ２０３へ処理は移行する。
【００３７】
次に、ステップＳＴ２０３では、ダミーの切替をおこなうか否かを判断する。ＹＥＳの場合（ダミーの切替をおこなう場合）、すなわち、現在の主データをダミーデータに変更し、現在のダミーデータを主データに変更する場合には、処理はステップＳＴ２０４へ移行する。ＮＯの場合（ダミーの切替をおこなわない場合）、すなわち、現在の主データと現在のダミーデータとをそのままの状態で維持する場合には、処理はステップＳＴ２０５に移行する。
ここで、上述したように、主データは圧縮データでも非圧縮データのいずれとしても良く、ダミーデータも同様に圧縮データでも非圧縮データのいずれとしても良いが、一方が圧縮データまたは非圧縮データのいずれかであれば、他方は、それと異なる形式となる非圧縮データまたは圧縮データのいずれかである。すなわち、同一の番組（コンテンツ）に対して、両方の形式のデータが主データまたはダミーデータとして、指定されることは上述した通りである。
具体的には、ステップＳＴ２０３では、表示／表示ドライバ２１を介して、ユーザはダミーの切替をするか否かの判断をおこなうことができる。
【００３８】
ステップＳＴ２０４では、ダミーの切替（ファイルの変換）をおこなう。
具体的には、ダミーの切替は、ファイルに既に記録されているダミーファイルであるか主ファイルであるかを記録した付加情報を書き換えることによっておこなわれる。
【００３９】
ステップＳＴ２０６では、ファイル（ｆｉｌｅ）の削除をおこなう。
削除するファイルは、圧縮データを記録したファイル、または、非圧縮データを記録したファイルのいずれをも選択可能であるが、非圧縮データを削除する場合には、より大きな空きスペースを作り出すことができるが、非圧縮データの再生をそれ以降はすることができないこととなる。一方、削除するデータが圧縮データである場合には、大きな空きスペースを作り出すことはできないが、残された非圧縮データを得ることができるのみならず、非圧縮データから再び圧縮データを得ることもできる。
なお、ステップＳＴ２０５におけるファイルの削除をするか否かの判断において、圧縮データと非圧縮データとの両方を同時に削除するか否かの判断も追加して、表示／表示ドライバ２１が、主とダミーの両方を削除するか否かをユーザに問い合わせて、それに対して、ユーザが許可を与える場合には、その両方を削除するようにしても良い。
このようにして、再生が終了する毎に番組の主データが記録された主（主ファイル）、ダミーデータが記録されたダミー（ダミーファイル）、当該再生に係る番組のデータ以外の他の番組のデータが記録されたダミーファイルを削除するなどして、再生する毎に、ユーザが選択する番組（コンテンツ）のデータを適宜に削除して、ハード・ディスク・ドライブ２３、ディ・ブィ・ディ／ビィ・ディ・ドライブ２４の空き領域を拡大して次の録画（コンテンツの記録保存）に備えることができる。
【００４０】
（実施形態のデータの削除方法）
ファイルの削除は、上述した再生の過程における１ステップとして実行するのみではなく、別途に削除を目的とする削除処理によって随時おこなうことができる。図５に示す削除処理のフローチャートに沿って、削除のみを独立しておこなう場合の削除方法について説明をする。削除の処理のルーチンを利用するか否かの判断はユーザによっておこなわれ、ユーザが削除処理のルーチンを利用することを表示／表示ドライバ２１を介して記録再生装置１に知らせることによって、削除処理ルーチンは起動する。
【００４１】
ステップＳＴ３００では、コントローラ１４は、表示／表示ドライバ２１を介して、ハード・ディスク・ドライブ２３、ディ・ブィ・ディ／ビィ・ディ・ドライブ２４に記録されたデータを削除するか否かの判断をユーザに対して求める。それとともに以下についても回答を求める。
どの番組（コンテンツ）の情報を削除するか、ダミーファイルのダミーデータを削除するか、主ファイルの主データを削除するかについて回答を求める。
回答を求めるに際しては、番組（コンテンツ）の録画（記録）された日時、記録容量、記録内容の要約、その番組の現在の主ファイルの状態（圧縮データ、非圧縮データのいずれか）、その番組の現在のダミーファイルの状態（非圧縮データ、圧縮データのいずれか）等の種々の情報が表示／表示ドライバ２１に表示される。
表示／表示ドライバ２１によるナビゲーション情報に導かれ、ユーザは、削除する番組のファイル（その番組の主ファイル、および／または、その番組のダミーファイル）を最終的に特定する。
そして、コントローラ１４が、ユーザの上述した一連の表示／表示ドライバ２１の操作の結果を解読して、削除する具体的なファイル名を特定して、ＹＥＳ（特定されたファイルを削除する）である場合にはステップＳＴ３０１に処理は移り、ＮＯ（ファイルの削除をしない）である場合には処理はステップＳＴ３００に戻る。
なお、フローチャートでは記載されていないが、この削除処理ルーチンから抜けるための処理も当然にこのフローチャートに含まれており、例えば、ステップＳＴ３００においては、削除処理ルーチンから抜けると判断することも含まれており、この場合においては、この削除処理ルーチンから抜け出すようになされている。
【００４２】
ステップＳＴ３０１では、ハード・ディスク・ドライブ２３、ディ・ブィ・ディ／ビィ・ディ・ドライブ２４に記録されたファイル名が特定されたデータを削除する。
このようにして、ユーザの選択によってユーザが選択するデータを適宜に削除することができる。
【００４３】
（実施形態のデータの変換方法）
ダミーの切替は、ダミーデータの現在の状態が圧縮データである場合には非圧縮データとし、ダミーデータの現在の状態が非圧縮データである場合には圧縮データとすることをいうものであるが、実施形態では、主ファイルとダミーファイルと２つのファイルを用いることを前提としているので、ファイルの変換と同義であるので、より広い意味で、ファイルの変換方法（実質的にはデータの変換方法）について説明をする。なお、変換すべき、一方のファイルが既に削除されている場合については後述する。
【００４４】
データが記録されている主ファイルの内容を圧縮データから非圧縮データに変換する変換処理（これは、ダミーファイルの内容を非圧縮データから圧縮データに変換する変換処理でもある）、主データが記録されている主ファイルの内容を非圧縮データから圧縮データに変換する変換処理（これは、ダミーファイルの内容を圧縮データか非圧縮データに変換する変換処理でもある）の各々は、上述した再生の過程における１ステップとして実行するのみではなく、別途にファイル内容の変換を目的とする変換処理によって随時おこなうことができる。図６に示すファイル変換処理のフローチャートに沿ってデータの変換方法について説明をする。変換処理のルーチンを利用するか否かの判断はユーザによっておこなわれ、ユーザが変換処理のルーチンを利用することを表示／表示ドライバ２１を介して記録再生装置１に知らせることによって、変換処理ルーチンは起動する。
【００４５】
ステップＳＴ４００では、表示／表示ドライバ２１を介して、ハード・ディスク・ドライブ２３、ディ・ブィ・ディ／ビィ・ディ・ドライブ２４に記録されたデータを変換するか否かの判断をユーザに対して求める。それとともに以下についても回答を求める。
どの番組（コンテンツ）の情報を変換するか、について回答を求める。
回答を求めるに際しては、番組（コンテンツ）の録画（記録）された日時、記録容量、記録内容の要約、現在の主ファイルの状態（圧縮データ、非圧縮データのいずれか）、現在のダミーファイルの状態（非圧縮データ、圧縮データのいずれか）が等の種々の情報が表示／表示ドライバ２１に表示される。
表示／表示ドライバ２１によるナビゲーション情報に導かれ、ユーザは、変換する番組を最終的に特定するか、または、変換しない判断を下すこととなる。
そして、コントローラ１４が、ユーザの上述した一連の表示／表示ドライバ２１の操作の結果を解読して変換する具体的なファイル名を特定して、ＹＥＳ（特定されたファイルを変換する）である場合にはステップＳＴ４０１に処理は移り、ＮＯ（ファイルの変換をしない）である場合には処理はステップＳＴ４００に戻る。
なお、フローチャートでは記載されていないが、この変換処理ルーチンから抜けるための処理も当然にこのフローチャートに含まれており、例えば、ステップＳＴ４００においては、変換処理ルーチンから抜けると判断することも含まれており、この場合においては、この変換処理ルーチンから抜け出すようになされている。
【００４６】
ステップＳＴ４０１では、ハード・ディスク・ドライブ２３、ディ・ブィ・ディ／ビィ・ディ・ドライブ２４に記録されたファイルのダミーファイルであること示す付加情報を主ファイルであること示す付加情報に変換し、主ファイルであること示す付加情報をダミーファイルであること示す付加情報に変換する。
このようにして、ユーザの選択によってユーザが選択するデータを適宜に変換することができる。
また、変換するデータの一方が既に削除されている場合には以下のような個別具体的な処理を施す。
例えば、主ファイルの現在の状態が圧縮データであるが、主ファイルを非圧縮データに変換したい場合で、非圧縮データが既に削除されている場合には、この変換処理ができないことを表示／表示ドライバ２１を介してユーザに知らせる。
例えば、主ファイルの現在の状態が非圧縮データであるが、主ファイルを圧縮データに変換したい場合で、圧縮データが既に削除されている場合には、圧縮データを再び作成して、主ファイルの内容を圧縮データとした後に、ダミーファイルに非圧縮データを記録するかの問い合わせを、表示／表示ドライバ２１を介してユーザに問い合わせる。
【００４７】
上述したように、実施形態の記録再生方法は、映像信号および／または音響信号からなる番組をデジタル信号として記録再生装置に記録再生するに好適なる記録再生方法である。記録の動作においては、デジタル信号を圧縮することなく非圧縮データとして記録するとともに、デジタル信号を圧縮して圧縮データとして記録している。このようにして、最初の記録時点において、自動的に非圧縮データと圧縮データとの両方を作成して、非圧縮データと圧縮データとの両方を各々記録再生装置に記録するので、この段階での処理は、圧縮データを生成して記録するか否か等の条件分岐の処理が含まれず、極めて簡単な処理とすることができる。そして、非圧縮データと圧縮データとの各々を別ファイルとして管理するので、その後のファイル管理が極めて容易なものとできる。すなわち、既に生成されている非圧縮データと圧縮データのいずれを保存し、いずれを削除するかの選択が極めて容易にできる。
【００４８】
このとき、非圧縮データまたは圧縮データのいずれか一方をダミーデータとして設定してダミーデータとされない他方のデータを主データとして設定する。つまり、ダミーデータが記録されるダミーファイルと、ダミーデータとされない他方のデータである主データが記録される主ファイルとを生成する。そして、記録再生装置の空き容量が不足する場合には、ダミーファイルが占める領域に順次記録をする。順次記録の手順は種々の方法が可能である。例えば、ダミーファイルが占める領域に順次記録をするに際して、再生済みのダミーファイルが占める領域に優先して記録することもでき、また、再生の動作をおこなった後に当該再生に係るダミーファイルを削除してしまい無条件に記録のために利用することもできる。この場合においても、主データは保存されているので、その主データを必要な時点で利用することができる。よって、記録再生装置の有限なる記録容量を有効利用して、記録再生装置に投じる費用を削減しながら、記録する空きスペースがなく記録動作が滞る事態の発生を防止できる。
【００４９】
ダミーデータを非圧縮データとするか圧縮データとするかは、適宜に定め得るものである。また、一旦記録した後に、ダミーデータが非圧縮データであり既に削除されている場合を除き、主データとダミーデータとを、再生の時点、その他、如何なる時点においても、事後的に相互に変換することもできる。ここで、主データとダミーデータとの相互の変換は、主データとダミーデータとが記録されているファイルに付随する情報の変換（ファイルの変換）であるので、この操作は極めて容易である。そして、ダミーデータとして選択されているデータは、急なる記録スペースの確保の必要性に応じて、実質的な空きスペースとして使用することができる。よって、記録再生装置の有限なる記録容量を有効利用して、記録再生装置に投じる費用を削減しながら、記録するための空きスペースがなく記録動作が滞る事態の発生を防止できる。
【００５０】
また、上述した実質的な空きスペースに新たな記録をおこなう場合には、実質的な空きスペースに記録されたデータが不要であるか否かについては、一応、削除しても良いであろうとの前もっての判断されている領域である。一方、本当の空きスペースは、記録が何らされていない領域であるので、空きスペースに上書き記録することに何ら支障が生じることはない。削除して良いとの確信がないままに誤消去される危険性を防ぐために、積極的に不要なるファイルを削除して、空きスペースを増加させるためのファイルの削除は如何なる段階においてもできることは言うまでもない。
【図面の簡単な説明】
【００５１】
【図１】実施形態の記録再生方法の概念を示す図である。
【図２】実施形態のデジタルデータの記録再生装置の概要を示す図である。
【図３】記録処理を示すフローチャートである。
【図４】再生処理を示すフローチャートである。
【図５】削除処理を示すフローチャートである。
【図６】変換処理を示すフローチャートである。
【符号の説明】
【００５２】
１  記録再生装置、１０  システム・エル・エス・アイ、１２  アタピー・インターフェイス、１３  エムペグ・エンコーダ／デコーダ、１４  コントローラ、２０  メイン・シー・ピー・ユー、２１  表示／表示ドライバ、２３  ハード・ディスク・ドライブ、２４  ディ・ブィ・ディ／ビィ・ディ・ドライブ、２６  チューナ、２７  ビデオ・アナログ／デジタル変換器、２８  シンクロナス・ディ・ラム、２９  フラッシュ・メモリ、３０  オーディオ・デジタル／アナログ変換器、３１  アイ・ピー・コンバータ、３２  ビデオエンコーダ、３５  アンテナ
【図１】
2009163823.tif 000003
【図２】
2009163823.tif 000004
【図３】
2009163823.tif 000005
【図４】
2009163823.tif 000006
【図５】
2009163823.tif 000007
【図６】
2009163823.tif 000008